【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
画像ファイルを格納する格納手段と、
前記格納手段に格納された前記画像ファイルを所定の宛先へ転送する旨の要求である転送要求を受け付ける受け付け手段と、
前記受け付け手段によって受け付けた前記転送要求における転送対象となる画像ファイルがシングルページ構成であるか否かを判断し、前記画像ファイルがシングルページ構成である場合、前記転送要求にて複数の画像ファイルが転送対象として要求されているか否かを判断する判断手段と、
前記判断手段によって前記複数の画像ファイルが転送対象となっていると判断し、フォルダを作成する設定になっている場合、前記フォルダを作成して前記複数の画像ファイルを前記フォルダ内に格納するフォルダ格納手段と、
前記フォルダ格納手段によって前記複数の画像ファイルを格納した前記フォルダを前記複数の画像ファイルとともにアーカイブして前記所定の宛先へ転送する転送手段と
を備えることを特徴とする画像ファイル転送装置。
【請求項２】
前記フォルダを作成する設定になっていない場合、前記転送手段は前記複数の画像ファイルをアーカイブして前記所定の宛先へ転送する
ことを特徴とする請求項１記載の画像ファイル転送装置。
【請求項３】
コンピュータに対する転送要求に応じて、格納手段に格納された画像ファイルを所定の宛先へ転送させる画像ファイル転送プログラムにおいて、
前記転送要求された転送対象となる画像ファイルがシングルページ構成であるか否かを判断するステップと、
前記画像ファイルがシングルページ構成である場合、前記転送要求にて複数の画像ファイルが転送対象として要求されているか否かを判断するステップと、
前記複数の画像ファイルが転送対象となっており、フォルダを作成する設定になっている場合、前記フォルダを作成して前記複数の画像ファイルを前記フォルダ内に格納するステップと、
前記複数の画像ファイルを前記フォルダとともにアーカイブして前記所定の宛先へ転送するステップと
をコンピュータに実行させることを特徴とする画像ファイル転送プログラム。
【請求項４】
前記フォルダを作成する設定になっていない場合、前記複数の画像ファイルをアーカイブして前記所定の宛先へ転送するステップを有する
ことを特徴とする請求項３記載の画像ファイル転送プログラム。
【請求項５】
原稿を画像ファイルとして読み込むスキャナと、
前記スキャナで読み込んだ画像ファイルを格納する格納手段と、
前記格納手段に格納された前記画像ファイルを所定の宛先へ転送する旨の要求である転送要求を受け付ける受け付け手段と、
前記受け付け手段によって受け付けた前記転送要求における転送対象となる画像ファイルがシングルページ構成であるか否かを判断し、前記画像ファイルがシングルページ構成である場合、前記転送要求にて複数の画像ファイルが転送対象として要求されているか否かを判断する判断手段と、
前記判断手段によって前記複数の画像ファイルが転送対象となっていると判断し、フォルダを作成する設定になっている場合、前記フォルダを作成して前記複数の画像ファイルを前記フォルダ内に格納するフォルダ格納手段と、
前記フォルダ格納手段によって前記複数の画像ファイルを格納した前記フォルダを前記複数の画像ファイルとともにアーカイブして前記所定の宛先へ転送する転送手段と
を備えることを特徴とする画像読取装置。
【請求項６】
前記フォルダを作成する設定になっていない場合、前記転送手段は前記複数の画像ファイルをアーカイブして前記所定の宛先へ転送する
ことを特徴とする請求項５記載の画像読取装置。
【手続補正２】
【補正対象書類名】明細書
【補正対象項目名】発明の名称
【補正方法】変更
【補正の内容】
【発明の名称】画像ファイル転送装置および画像ファイル転送プログラムならびに画像読取装置
【手続補正３】
【補正対象書類名】明細書
【補正対象項目名】０００１
【補正方法】変更
【補正の内容】
【０００１】
本発明は、要求に応じて所定の宛先へ画像ファイルを転送する画像ファイル転送装置および画像ファイル転送プログラムならびに画像読取装置に関する。
【手続補正４】
【補正対象書類名】明細書
【補正対象項目名】０００６
【補正方法】変更
【補正の内容】
【０００６】
本発明はこのような課題を解決するために成されたものである。すなわち、本発明は、画像ファイルを格納する格納手段と、格納手段に格納された画像ファイルを所定の宛先へ転送する旨の要求である転送要求を受け付ける受け付け手段と、受け付け手段によって受け付けた転送要求における転送対象となる画像ファイルがシングルページ構成であるか否かを判断し、画像ファイルがシングルページ構成である場合、転送要求にて複数の画像ファイルが転送対象として要求されているか否かを判断する判断手段と、判断手段によって複数の画像ファイルが転送対象となっていると判断し、フォルダを作成する設定になっている場合、フォルダを作成して複数の画像ファイルをフォルダ内に格納するフォルダ格納手段と、フォルダ格納手段によって複数の画像ファイルを格納したフォルダを複数の画像ファイルとともにアーカイブして所定の宛先へ転送する転送手段とを備える画像ファイル転送装置である。
【手続補正５】
【補正対象書類名】明細書
【補正対象項目名】０００７
【補正方法】変更
【補正の内容】
【０００７】
また、本発明は、コンピュータに対する転送要求に応じ、格納手段に格納された画像ファイルを所定の宛先へ転送する画像ファイル転送プログラムにおいて、転送要求された転送対象となる画像ファイルがシングルページ構成であるか否かを判断するステップと、画像ファイルがシングルページ構成である場合、転送要求にて複数の画像ファイルが転送対象として要求されているか否かを判断するステップと、複数の画像ファイルが転送対象となっており、フォルダを作成する設定になっている場合、フォルダを作成して複数の画像ファイルをフォルダ内に格納するステップと、複数の画像ファイルをフォルダとともにアーカイブして所定の宛先へ転送するステップとをコンピュータに実行させる画像ファイル転送方法である。
また、本発明は、原稿を画像ファイルとして読み込むスキャナと、スキャナで読み込んだ画像ファイルを格納する格納手段と、格納手段に格納された画像ファイルを所定の宛先へ転送する旨の要求である転送要求を受け付ける受け付け手段と、受け付け手段によって受け付けた転送要求における転送対象となる画像ファイルがシングルページ構成であるか否かを判断し、画像ファイルがシングルページ構成である場合、転送要求にて複数の画像ファイルが転送対象として要求されているか否かを判断する判断手段と、判断手段によって複数の画像ファイルが転送対象となっていると判断し、フォルダを作成する設定になっている場合、フォルダを作成して複数の画像ファイルをフォルダ内に格納するフォルダ格納手段と、フォルダ格納手段によって複数の画像ファイルを格納したフォルダを複数の画像ファイルとともにアーカイブして所定の宛先へ転送する転送手段とを備える画像読取装置である。
【手続補正６】
【補正対象書類名】明細書
【補正対象項目名】０００８
【補正方法】変更
【補正の内容】
【０００８】
このような本発明では、転送対象となる画像ファイルがシングルページ構成であり、しかも複数ファイルある場合に、この複数の画像ファイルをフォルダ内に収納してアーカイブし、所定の宛先へ転送することから、シングルページ構成の画像ファイルを複数転送する場合でも画像ファイル毎に転送処理を繰り返す必要がなく、一つの転送処理で複数のシングルページファイルを転送できるようになる。
【手続補正７】
【補正対象書類名】明細書
【補正対象項目名】０００９
【補正方法】変更
【補正の内容】
【０００９】
したがって、本発明によれば、所定の宛先に画像ファイルを転送するにあたり、一度に複数の画像ファイルが要求されても、１回の転送処理で複数の画像ファイルを送ることができるため、ネットワークを通じた送受信の手間を軽減することが可能となる。
【手続補正８】
【補正対象書類名】明細書
【補正対象項目名】００１２
【補正方法】変更
【補正の内容】
【００１２】
先ず、HTTPクライアントより、ファイルフォーマットの指定、複数ファイルの指定、フォルダにまとめるか否かの指定を行い、フォームデータをデバイスのウェッブサーバに送信する。デバイスのウェブサーバはこのフォームデータを受け取ると（受け付け手段）、図１に示すフローチャートの処理を開始する。
【手続補正９】
【補正対象書類名】明細書
【補正対象項目名】００１５
【補正方法】変更
【補正の内容】
【００１５】
一方、ステップＳ３００の判断で、シングルページで構成されるファイルフォーマットである場合、シングルページが複数ファイル選択されているかどうかを判別する（ステップＳ３１０：判断手段）。
【手続補正１０】
【補正対象書類名】明細書
【補正対象項目名】００１８
【補正方法】変更
【補正の内容】
【００１８】
また、フォルダにまとめることが指示されている場合、フォルダを作成し（ステップＳ３３０）、指定された複数のファイルを作成したフォルダに移動する処理を行ったのち（ステップＳ３４０：フォルダ格納手段）、フォルダを含めた複数ファイルのアーカイブ処理を行う（ステップＳ４００）。次に応答処理をし（ステップＳ５００）、画像データの転送を開始し（ステップＳ６００：転送手段）、データを送り終わると終了する。